(57)【要約】【課題】携帯端末機器の使用する際、楽曲や台詞等の音声を、特に音量を上げなくても、明瞭に聞き取れるようにする。【解決手段】背面側にスピーカーが設けられている携帯端末機器として、スピーカーにて発生した音声を正面方向へ誘導する音声誘導装置として、携帯端末機器１１に取り付けたときにスピーカー１５を覆うケース２０を有し、上記ケースを携帯端末機器に取り付けたときに、ケースの、携帯端末機器のスピーカーに対応する位置に、上記スピーカーにて発生した音声を正面方向へ誘導する音声誘導部２１と、誘導された音声を外部へ発しさせる発音口２２とを設けて構成する。【選択図】          図１
0003175661.tif 000002
【実用新案登録請求の範囲】
【請求項１】
背面側にスピーカーが設けられている携帯端末機器において、スピーカーにて発生した音声を正面方向へ誘導する音声誘導装置であって、
携帯端末機器に取り付けたときにスピーカーを覆うことになるケースを有し、
上記ケースを携帯端末機器に取り付けたときに、ケースの、携帯端末機器のスピーカーに対応する位置に、上記スピーカーにて発生した音声を正面方向へ誘導する音声誘導部と、誘導された音声を外部へ発しさせる発音口とを設けて構成された
携帯端末機器における音声誘導装置。
【請求項２】
音声誘導部は、スピーカーで発生した音声が発音口へ向かうように、携帯端末機器の背面側から正面側へ向けてカーブした誘導壁面を有し、かつ、
スピーカー部分の携帯端末機器の外面と、上記誘導壁面との間隔が発音口へ向かって次第に大きくなるように構成されている
請求項１記載の携帯端末機器における音声誘導装置。
【請求項３】
ケースは樹脂成形法により形成されるもので、音声誘導部と発音口とを上記ケースの一部に有している
請求項１又は２記載の携帯端末機器における音声誘導装置。
【請求項４】
ケースは樹脂成形法により形成されるもので、スピーカーに対応する位置に開けられた音孔を有し、また、音声誘導部と発音口とを具え、上記ケースとは別体に形成された音声誘導部材を有しており、上記音声誘導部材を上記音孔の近傍の外側に装着し、ケースと一体化するように構成された
請求項１又は２記載の携帯端末機器における音声誘導装置。
【請求項５】
背面側にスピーカーが設けられた携帯端末機器において、スピーカーにて発生した音声を正面方向へ誘導するために、上記携帯端末機器に取り付けるケースに装着する音声誘導部材であって、
ケースへの装着箇所の外面に類似した曲面形状から成る曲面部と、その左右に位置する左右一対の側板を有し、また、発音口の側の端部には、ケースの縁に嵌合するフックを複数個設け、これと反対側の端部付近には突起を複数個設け、上記突起は、音孔部の一部に形成した嵌合孔と嵌合するように構成されている
携帯端末機器における音声誘導部材。
【考案の詳細な説明】
【技術分野】
【０００１】
本考案は、背面側にスピーカーが設けられている携帯端末機器において、スピーカーにて発生した音声を正面方向へ誘導する音声誘導装置及び音声誘導部材に関するものであ
る。
【背景技術】
【０００２】
携帯端末機器は、機器正面をディスプレイに割く必要上、背面側にスピーカーを設けている例が多い。このため、音声は携帯端末機器の背面方向に向けて発せられ、画面を見ながら視聴するスタイルでは、音声を聞き取り難い。明瞭に聞こうとすれば、音量を上げるほかはないが、周囲に漏れる音も大きくなるという問題がある。
【０００３】
この問題に対する改善案も提案されており、例えば、実用新案登録第３１７１０００号は、携帯端末の背面等に設けられた内蔵スピーカーと組み合わせて音響を改善するケースを開示している。しかしながら、同考案では、ケースの縁から外方へ突出させて音の出口開口を設けており、出っ張りが邪魔になる欠点がある。また、音の出口をスリット状として出っ張りを無くし、ケース正面の縁に設ける案も例示されているが、スリット状のため音声の大きさや音質等について問題が残る。
【０００４】
【特許文献１】実用新案登録第３１７１０００号
【考案の開示】
【考案が解決しようとする課題】
【０００５】
本考案は前記の問題に鑑みなされたもので、その課題は、携帯端末機器の使用上、楽曲や台詞等の音声を、特に音量を上げなくても、明瞭に聞き取れるようにすることである。また、本考案の他の課題は、取扱いの邪魔にならず、かつ、使用し易い携帯端末機器における音声誘導装置及び音声誘導部材を提供することである。
【課題を解決するための手段】
【０００６】
前記の課題を解決するため、本考案は、背面側にスピーカーが設けられた携帯端末機器において、スピーカーにて発生した音声を正面方向へ誘導する音声誘導装置について、携携帯端末機器に取り付けたときにスピーカーを覆うことになるケースを有し、上記ケースを携帯端末機器に取り付けたときに、ケースの、携帯端末機器のスピーカーに対応する位置に、上記スピーカーにて発生した音声を正面方向へ誘導する音声誘導部と、誘導された音声を外部へ発しさせる発音口とを設けて構成するという手段を講じたものである。
【０００７】
本発明を適用する対象となる携帯端末機器としては、ｉＰａｄ（アップル社のタブレット型コンピューターの商品名）が良く知られている。この機器の場合、スピーカーは本体正面から見て右下後側（背面では左下）にあり、スピーカーの音孔を設けた箇所が曲面を含むことを考慮しても、発生した音声は機器本体の背後ないし下方に向かうのみである。
【０００８】
そこで、本考案は携帯端末機器に取り付けられるケースを利用して、スピーカーにて発生した音声を正面方向へ誘導する。ケースは、主として携帯端末機器の背面側を覆うもので、スピーカーの部分を覆うケースの部分に、本考案の音声誘導装置が組み込まれる。本考案に用いられるケースは、上記携帯端末機器の背面側を覆うもののほか、携帯端末機器にケースを取り付けたときに、スピーカー部分を覆うことになる構造を持つケース全般が対象である。
【０００９】
音声誘導装置は、その上記ケースを携帯端末機器に取り付けたときに、ケースの、携帯端末機器のスピーカーに対応する位置に、上記スピーカーにて発生した音声を正面方向へ誘導する音声誘導部と、誘導された音声を外部へ通過させる発音口とを設けて構成する。本考案の装置はスピーカーを覆う部分を有するケースとともに使用する。このケースは、携帯端末機器背面側のスピーカー部分を覆う構造を有しているものであるが、一部が正面側に回り込んでディスプレイの外周部分を覆うものであっても良い。
【００１０】
上記音声誘導部は、スピーカーで発生した音声が発音口へ向かうように、携帯端末機器の背面側から正面側へ向けてカーブした誘導壁面を有し、かつ、スピーカー部分の携帯端末機器の外面と、上記誘導壁面との間隔が発音口へ向かって次第に大きくなるように構成することが望まれる。この構成により、音波の方向を徐々に変えるベルマウス形状として拡声効果も期待される。
【００１１】
上記ケースは樹脂成形法により形成されるもので、音声誘導部と発音口とを上記ケースの一部に有しているという構成を取り得る。プラスチックにより音声誘導部と発音口が一体に形成されているので、ケースを携帯端末機器に取り付けると同時に、音声誘導機能が備わり便利である。
【００１２】
上記ケースは、スピーカーに対応する位置に開けられた音孔を有し、また、音声誘導部と発音口とを具え、上記ケースとは別体に形成された音声誘導部材を有しており、上記音声誘導部材を上記音孔の近傍の外側に装着し、ケースと一体化させるという構成を取り得る。この場合、音声誘導部材はケースと別に形成され、ケースのスピーカーに対応する位置に装着する。
【００１３】
また本考案は、ケースへの装着箇所の外面に類似した曲面形状から成る曲面部と、その左右に位置する左右一対の側板を有し、また、発音口の側の端部には、ケースの縁に嵌合するフックを複数個設け、これと反対側の端部付近には突起を複数個設け、上記突起は、音孔部の一部に形成した嵌合孔と嵌合するように構成される音声誘導部材を含む。
【考案の効果】
【００１４】
本考案は以上のように構成されかつ作用するものであるから、背面側に設けられたスピーカーの音声が正面側に誘導されるので、携帯端末機器の使用上、楽曲や台詞等の音声を特に音量を上げなくても、明瞭に聞き取れるようになるという効果を奏する。また、本考案によれば、取扱いの邪魔にならず、かつ、使用し易い携帯端末機器における音声誘導装置及び音声誘導部材を提供することができる。
【考案を実施するための最良の形態】
【００１５】
以下図示の実施形態を参照して本考案をより詳細に説明する。図１は本考案の例１に係る音声誘導装置１０を示す正面図であり、１１は携帯端末機器としてのｉＰａｄ（アップル社製タブレット型コンピューターの商品名。）を示しており、その正面の大部分をディスプレイ１２が占めており、その枠部に正面側カメラ１３、操作部１４が設けられ、スピーカー１５は、正面から見て右下後側（背面では左下、図１に破線で示す位置。）に設けられている。
【００１６】
本発明の音声誘導装置１０は、携帯端末機器１１の背面側に取り付けられるように、上記背面側に密着する形状に形成したケース２０を有している。図１ないし図５に示した例１において、ケース２０は、これを携帯端末機器１１に取り付けたときに、携帯端末機器のスピーカー１５に対応するケース２０の位置に、上記スピーカー１５にて発生した音声を正面方向へ誘導する音声誘導部２１と、誘導された音声を外部へ通過させる発音口２２とを設けて構成されている。
【００１７】
本考案の例１のケース２０は、音声誘導部２１と発音口２２となる部分を、上記ケース２０の一部に有している。上記音声誘導部２１は、スピーカー１５で発生した音声が発音口２２へ向かうように、携帯端末機器１１の背面側から正面側へ向けてカーブした誘導壁面２３を有している。図示の誘導壁面２３は、携帯端末機器１１に接触するケース内面から凹ませて、空所とした音声誘導部２１を構成している。
【００１８】
上記音声誘導部２１は、スピーカー部分の携帯端末機器１１の外面１１ａと、上記誘導壁面２３との間隔が発音口２２へ向かって次第に大きくなるように形成されている。これにより、音声誘導部２１では、音波の方向が徐々に変えられるベルマウス形状として拡声効果を期待することができる（図５矢印参照）。
【００１９】
上記例１のケース２０は、これを携帯端末機器１１に背面側から取り付けることで、スピーカー１５で発生した音声が発音口２２へ向かうように誘導することができる。このケース２０は、シリコンラバー等の比較的軟質の樹脂を用いて、樹脂成形法により形成するものに適している。
【００２０】
図６以下は、本考案の例２に係る音声誘導装置１０′を示す正面図であり、音声誘導装置１０′は、携帯端末機器１１の背面側に取り付けられるケース３０に装着される。上記ケース３０は、携帯端末機器１１に取り付けたときに、ケース３０の、携帯端末機器のスピーカー１５に対応する位置に、上記スピーカー１５にて発生した音声を正面方向へ誘導するために、スピーカー１５に対応する位置に開けられた多数の小孔から成る音孔３４を有している。
【００２１】
上記ケース３０には、音声誘導部材３１が装着される。この音声誘導部材３１は、音声誘導部３２と、誘導された音声を外部へ通過させる発音口３３となる部分を備えている。上記音声誘導部材３１は、上記音孔３４の近傍の外側に装着し、ケース３０と一体化して使用するように構成されている。
【００２２】
音声誘導部材３１は、図７に詳細に示したように、ケース３０への装着箇所の外面３０ａに類似した曲面形状から成る曲面部３１ａと、その左右に位置し、外面３０ａに密着する左右一対の側板３１ｂ、３１ｃを有している。また、発音口３３の側の端部には、ケースの縁に嵌合するフック３１ｄ、３１ｅが複数個設けてあり、これと反対側の端部付近には突起３１ｆが複数個設けてあり、上記突起３１ｆは、音孔３４の部分の一部に形成した嵌合孔３４ｆと嵌合するように構成されている。
【００２３】
上記音声誘導部材３１をケース３０に装着すると、上記左右一対の側板３１ｂ、３１ｃにて、外面形状３０ａに密着し、閉じた音声誘導部３２が形成される。例２の音声誘導部３２においても、音波の方向が徐々に変えられて発音口３３を通過し、外部へ発音するので、拡大するベルマウス形状として拡声効果を期待することができる（図９矢印参照）。例２のケース３０は、ポリカーボネート等の比較的硬質の樹脂を用いて、樹脂成形法により形成するものに適している。
【００２４】
上記の図１〜図５に示す、例１における発音口２２は、携帯端末機器１１の下方に向けられているが、誘導壁面２３、３５を有する音声誘導部２２により、スピーカー１５にて発生した音声を正面方向へ拡声的に誘導することができる。また、上記の図６〜図９に示す例２では、正面方向に向けられた発音口３３から、音声を携帯端末機器１１の正面方向へ拡声的に誘導することができる。
【００２５】
このように構成されている本考案の装置によれば、背面側に設けられたスピーカーの音声が正面側に誘導されると同時に、音声を拡声的に発しさせることができる。また、携帯端末機器１１に取り付けるケース２０、３０が音声誘導装置を兼ねているので、携帯端末機器１１の保護と同時に音声誘導が行える。なお、本考案の装置は、その一部が正面側に回り込んでディスプレイの外周部分を覆う、例えば、額縁のような構造のケースとの組み合わせにおいて実施することも可能である。この場合、正面のディスプレイ１２の部分は単なる開口とするなど、指先によるタッチパネル操作を妨げないような構成とすることが望ましい。
【図面の簡単な説明】
【００２６】
【図１】本考案に係る携帯端末機器における音声誘導装置の例１を携帯端末機器とともに示す斜視図である。
【図２】同上の例１の装置を適用したケースを示す下面図である。
【図３】同じく部分背面図である。
【図４】同じく部分斜視図である。
【図５】同じく例１の作用を説明するための断面図である。
【図６】本考案に係る携帯端末機器における音声誘導装置の例２を示す部分斜視図である。
【図７】同じく例２の装置を構成する音声誘導部材を示す６面図である。
【図８】同じく例２の全体構成を示すもので、Ａは下面図、Ｂは背面図、Ｃは側面図である。
【図９】同じく例２の作用を説明するための断面図である。
【符号の説明】
【００２７】
１０、１０′  装置
１１  携帯端末機器
１２  ディスプレイ
１３  フロントカメラ
１４  ホーム
１５  スピーカー
２０、３０  ケース
２１、３２  音声誘導部
２２、３３  発音口
２３、３５  誘導壁面
３１  音声誘導部材
【図１】
0003175661.tif 000003
【図２】
0003175661.tif 000004
【図３】
0003175661.tif 000005
【図４】
0003175661.tif 000006
【図５】
0003175661.tif 000007
【図６】
0003175661.tif 000008
【図７】
0003175661.tif 000009
【図８】
0003175661.tif 000010
【図９】
0003175661.tif 000011